Podtech/llm-jp-corpus-v4-ja_patent huggingface dataset:
(57)【要約】      （修正有）【課題】水切り板を避け、下から上に向かって、作業性よくねじの捻じ込みや釘の打ち込みを行うことのできる軒樋吊り具を提供する。【解決手段】アーム部２と、該アーム部２を中心に左右に張り出す取付け部からなる取付け座１とからなる軒樋の吊り具であって、該左右取付け部の上部には建物に向けて斜め上方に貫通する取付け孔３が設けられ、ねじヘッドが当接する当たり面は上記斜設された取付け孔３に垂直の傾斜面１１とされた軒樋吊り具Ａ。【選択図】図３
2006200314.tif 000002
【特許請求の範囲】
【請求項１】
アーム部と取付け座とからなる軒樋の吊り具であって、該取付け座はアーム部を中心に左右に張り出す取付け部からなるとともに、上記左右取付け部の上部には建物に向けて斜め上方に貫通する取付け孔が設けられ、ねじヘッドが当接する当たり面は上記斜設された取付け孔に垂直の傾斜面とされた軒樋吊り具。
【請求項２】
上記取付け孔はその側断面が入り口から出口に向けて広がるテーパ状とされた請求項１に記載の軒樋吊り具。
【請求項３】
上記斜設された取付け孔の下方にさらに第２の取付け孔が設けられた請求項１に記載の軒樋吊り具。
【発明の詳細な説明】
【技術分野】
【０００１】
本発明は、軒樋の吊り具に関する。さらに詳しくは、破風板等、建物の外面に取付けられ、軒樋を保持する軒樋吊り具に関する。
【背景技術】
【０００２】
軒樋を保持するアーム部と取付け座とが一体的に形成されてなる軒樋吊り具は、上記取付け座をねじ等により破風板等建物の外面に固定して取付けられ、その構造に関しては既に種々の技術が知られている。
【特許文献１】特開２００４−２２５４６５号公報（第１−４頁、第２図）
【発明の開示】
【発明が解決しようとする課題】
【０００３】
例えば、特許文献１における軒樋吊り具においては、上記特許文献１の第２図から明らかなように、取付け座には、ねじ等が挿通する取付け孔が建物に向けて垂直に設けられ、また、雨水の建物側への侵入を防ぐために水切り板が上記取付け孔の前方に設けられている。一方、屋根面を流下してくる雨水を受けることを考慮すると、できるだけ上方に軒樋吊り具を取付けることが好ましい。そのため、上記軒樋吊り具を破風板に固定するには、危険な高所での作業が必要であり、また、取付け孔の前面には上記水切り板が位置するため、正面からの作業を行いにくいという問題がある。本発明はこのような問題を解決して、上記水切り板を避け、下から上に向かって、ねじの捻じ込みや釘の打ち込みを行い、上記取付け座を破風板等、建物外面に作業性よく取付けることのできる軒樋吊り具を提供することをその課題とする。
【課題を解決するための手段】
【０００４】
上記課題を解決するために、本発明においては、つぎのような技術的手段を講じている。すなわち、本発明によれば、アーム部と取付け座とからなる軒樋の吊り具であって、該取付け座はアーム部を中心に左右に張り出す取付け部からなるとともに、上記左右取付け部の上部には建物に向けて斜め上方に貫通する取付け孔が設けられ、ねじヘッドが当接する当たり面は上記斜設された取付け孔に垂直の傾斜面とされた軒樋吊り具が提供される。上記軒樋吊り具は、アーム部と取付け座とを一体的に形成した合成樹脂成型品であることが好ましい。
【０００５】
上記取付け孔はその側断面が入り口から出口に向けて広がるテーパ状とされることが好ましい。さらに、上記斜設された取付け孔の下方にさらに第２の取付け孔を設けることが好ましい。
【発明の効果】
【０００６】
請求項１に記載の発明は上記のとおりであり、取付け座を構成する左右取付け部の上部には建物に向けて斜め上方に貫通する取付け孔が設けられているため、水切り板を避けて下から上に向けて作業性よく取付け座の固定を行うことができる。また、ねじヘッドが当接する当たり面は上記斜設された取付け孔に垂直の傾斜面とされているため、捻じ込んだねじや、打ち込んだ釘のヘッドを取付け座の表面に意匠性よく納めることができる。
【０００７】
上記取付け孔はその側断面が入り口から出口に向けて広がるテーパ状とされているため、下から上に向けて例えば、ねじを捻じ込んだとき、取付け孔内でねじ切り部を上下左右に移動して取付け角度の微調整が可能であるため、さらに作業性よく取付け座を固定することができる。また、上記斜設された取付け孔の下方に第２の取付け孔を設けることにより、軒樋吊り具をしっかりと破風板等、建物外面に固定することができる。
【発明を実施するための最良の形態】
【０００８】
以下、本発明の実施形態について図面を参照して、詳細に説明する。図１は、本発明にかかる軒樋吊り具Ａを示す側面図である。図１からよくわかるように、上記軒樋吊り具Ａは、アーム部２と、取付け座１とからなり該取付け座１は後記するように、アーム部２を中心に左右に張り出す取付け部から構成されている。上記左右取付け部の上部には建物に向けて斜め上方に貫通する取付け孔３が設けられ、ねじヘッドが当接する当たり面は上記斜設された取付け孔３に直角に設けられた傾斜面１１とされている。また、上記斜設された取付け孔３の下方には、第２の取付け孔４が設けられている。
【０００９】
図２は、図１に示すＸ−Ｘ線に沿う縦断面図であり、図１に示された取付け孔３と第２の取付け孔４とを拡大して示す。図２から明らかなように、斜設された取付け孔３はその側断面が入り口から出口に向けて広がるテーパ状とされ、第２の取付け孔４も同様にその側断面が入り口から出口に向けて広がるテーパ状とされている。
【００１０】
図３は、上記のように構成された軒樋吊り具Ａをタッピングねじ５（木ネジや釘を含む）により破風板６に固定した状態を示す側面図である。図３から、斜設された取付け孔３に垂直の傾斜面１１にねじヘッドが意匠性よく納まっていることが明らかである。
【００１１】
図４は、取付け座１の左取付け部１２と右取付け部１３とに設けられた上記取付け孔３と第２の取付け孔４とに各々タッピングねじ５を螺入し、破風板６に固定した軒樋吊り具Ａを示す正面図である。図３、図４から、本発明を実施することにより、軒先に設けられた水切り板を避けるとともに、下から上に向かって、作業性よくタッピングねじ５を捻じ込み、取付け座１を建物の破風板６にしっかりと取付けできることが明らかである。
【図面の簡単な説明】
【００１２】
【図１】本発明にかかる軒樋吊り具を示す側面図である。
【図２】図１に示すＸ−Ｘ線に沿う縦断面図である。
【図３】本発明にかかる軒樋吊り具をタッピングねじにより破風板に固定した状態を示す側面図である。
【図４】本発明にかかる軒樋吊り具をタッピングねじにより破風板に固定した状態を示す正面図である。
【符号の説明】
【００１３】
Ａ          本発明にかかる軒樋吊り具
１          取付け座
１１        傾斜面
１２        左取付け部
１３        右取付け部
２          アーム部
３          斜設された取付け孔
４          第２取付け孔
５          タッピングねじ
６          破風板
【図１】
2006200314.tif 000003
【図２】
2006200314.tif 000004
【図３】
2006200314.tif 000005
【図４】
2006200314.tif 000006
(57)【要約】【課題】竪樋と排水管を連結する排水管カバーにおいて、排水管の受水口と嵌合可能な排水口を形成した補助部材を提供することをその課題とする。【解決手段】排水管カバーに数種類の径の排水口を有する補助部材本体の一つを挿入することにより、一種類の排水管カバーで各種の径の排水管と連結することが出来ることを特徴とする排水管カバー。さらに、数種類の径の排水口を有する補助部材本体から排水管の受水口と嵌合する補助部材本体の一つを選択挿入したものが好ましい。【選択図】図１
2006200319.tif 000002
【特許請求の範囲】
【請求項１】
竪樋と排水管とを連結する排水管カバーにおいて、上部が排水管カバーの内面に等しく、傾斜段部を介して排水管の受水口に嵌合する排水口を有する漏斗型の補助部材本体を排水管カバー内に挿入したことを特徴とする排水管カバー。
【請求項２】
数種類の径の排水口を有する補助部材本体から排水管の受水口と嵌合する補助部材本体の一つを選択挿入したことを特徴とする請求項1記載の排水管カバー。
【発明の詳細な説明】
【技術分野】
【０００１】
本発明は竪樋の下端部に外装されて竪樋と地中に埋入れされた排水管との接続個所を覆う排水管カバーに関する。
【背景技術】
【０００２】
詳しくは排水管の径の関係によりその排水管側の受水口の径が異なり、その径に応じた排水管カバーを用意する必要があるが、本発明はそのような場合でも一種類の排水管カバーで対応出来るものである。
【特許文献１】特開平８−１６５７６７号公報（第１頁、第１図）
【発明の開示】
【発明が解決しようとする課題】
【０００３】
上記特許文献１における排水管カバーは上下両端に接続部を有し奥部に係止部を設けた外筒部と、外筒部の下に摺動可能に挿入された内筒体からなり内筒体の上面端部と竪樋の下端部との間に隙間が形成される様になされてもので、排水管カバーや竪樋の先端部が損傷されることがないものが知られている。本願図３に示すように竪樋４と排水管の入水口３との間に装着される排水管カバー１に上記内筒体を使用しないものも知られている。
【０００４】
本発明は一種類の排水管カバーを用いて複数種類の補助部材を用意することにより地中に埋設された排水管の各口径の受水口と嵌合接続出来るようにした排水管カバーを提供することをその課題とする。
【課題を解決するための手段】
【０００５】
上記課題を解決するために、本発明に係る排水管カバーの第一の特徴構成は、請求項１に記載した如く、竪樋と排水管とを連結する排水管カバーにおいて、上部が排水管カバーの内面に等しく、傾斜段部を介して排水管の入水口に嵌合する排水口を有する漏斗型の補助部材本体を、排水管カバー内に挿入した点にある。
【０００６】
同第二の特徴構成は、請求項２に記載した如く、第一の特徴構成に加えて、  数種類の径の排水口を有する補助部材本体から排水管の受水口と嵌合する補助部材本体の一つを選択挿入することを特徴とする点にある。
【発明の効果】
【０００７】
請求項1に記載された排水管カバーは前記構成であり、排水管カバーは従来と同様の物が用いられる。一方これに用いられる補助部材本体は上部が竪樋が挿入可能でありかつ外面が排水管カバーの内面に等しく、その下方に傾斜段部を介して排水管の受水口の径に等しい排水口を設けた概略漏斗型のものであり、補助部材本体を排水管カバー内に挿入することにより通常の排水管カバーでは接続不能な排水管との接続を可能とするものである。
【０００８】
請求項２に記載の排水管カバーは前記構成であるので補助部材本体の排水部の口径が数種類用意されているので、補助部材本体を選択することにより排水管の径が異なった場合でも排水管カバーは一種類のみで対応出来る。特に排水部の口径が小な場合、傾斜段部の傾斜が大となるため水の跳ね返り防止効果が大となる。
【発明を実施するための最良の形態】
【０００９】
以下、本発明の実施形態について図面を参照して、詳細に説明する。図１は本発明の分解斜視図、図２は本発明に係る係る排水管カバーの設置状況を示す断面図であり、排水管カバー1は従来のものと同一である。２は排水管カバー１に挿入される補助部材本体であり、その上部は竪樋４が挿入可能な径を有するとともにその外面は排水管カバー１に挿入可能なように排水管カバー１の内径に等しい円筒部２１が形成されている。
【００１０】
そしてその下方の排水部２３は排水管の受水口３の内口径と嵌合可能となるように傾斜段部２２を介して一体的に形成されている。この為に排水管カバー１の径が合わない場合でもこのような補助部材本体２を選択することで竪樋４と排水管が連結でき雨水の排水が支障なく行うことが出来る。
【００１１】
この補助部材本体２は排水管の受水口３の口径に合わせて複数作成しておけば各種の径の排水管と接続出来る。従って一種類の排水管カバー１を大量に生産でき経済的である。特に補助部材本体２の排水部の口径が小さい場合には傾斜段部２２の傾斜が急になるので雨水の跳ね返りがなく、口径が小さくてもスムースに排水出来る効果が期待出来る。
【図面の簡単な説明】
【００１２】
【図１】本発明に係る排水管カバーの一実施例を示す分解斜視図。
【図２】図１に係る排水管カバーの設置状況を示す断面図。
【図３】従来の排水管カバーの設置状況を示す断面図。
【符号の説明】
【００１３】
１    配水管カバー
２    補助部材本体
２１  円筒部
２２  傾斜段部
２３  排水部
３    排水管の受け入れ部
４    竪樋
【図１】
2006200319.tif 000003
【図２】
2006200319.tif 000004
【図３】
2006200319.tif 000005
(57)【要約】【課題】  自動車の冷気圧縮機クラッチ吸盤製造方法の提供。【解決手段】  特殊な型で材料を冷間鍛造して製品構造及び組織を強化して材料と後続工程節約の目的を達成する。本発明によると、棒鋼を裁断して所定重量として第１次冷間鍛造を行ない、加圧加工により胚材を中央に凹孔を具えたディスクカバー形状となし、更に第２次冷間鍛造を行ないディスクカバーの外周を鍛圧し並びに上向きに延伸し外環の態様を具備させ、中央及び環周を更に加圧加工して所定孔径を形成する。【選択図】        図７
2006200459.tif 000002
【特許請求の範囲】
【請求項１】
型を用いて材料を冷間鍛造して製品構造及び組織を強化して材料と後続工程を節約する自動車の冷気圧縮機クラッチ吸盤の製造方法であり、
型を用いて、円柱型鋼棒材を冷間鍛造し、中央に凹孔を具えたディスクカバー形状を形成し、更に二次冷間鍛造により、このディスクカバーの外周を上向きに延伸させて外環を具えたハブ態様となし、このハブの中央及び環周を加圧加工して所定孔径となすことを特徴とする、自動車の冷気圧縮機クラッチ吸盤の製造方法。
【発明の詳細な説明】
【技術分野】
【０００１】
本発明は自動車の冷気圧縮機クラッチ吸盤強化構造の製造方法に係り、特に冷間鍛造等の新工程を応用して構造を従来の製品よりも強化できる製造方法に関する。
【背景技術】
【０００２】
一般に自動車の冷気圧縮機のクラッチは図１、２、３に示されるように、プーリＡ、吸盤Ｂ、制動ディスクＣ等の部品で構成される。そのうち吸盤Ｂの外観形態及び構造は、中央が貫通し且つ環周に内凹環孔形状を具えた環体構造とされ、並びにその環体構造の底面に更に中央に貫通する孔を具えたディスクカバーＤがスポット溶接により結合され、電磁吸引力を励起するコイルがその内凹環孔中に繞設される。該吸盤Ｂはエンジンの瞬間的な振動及び吸磁振動波の負荷に耐えなければならないため、要求される構造強度が非常に高いが、伝統的な製造方法には以下のような欠点がある。
１．吸盤ＢとディスクカバーＤの結合がスポット溶接によるため、常時高圧振動波にさらされ、溶接不良による脱落を発生しやすい。
２．吸盤ＢとディスクカバーＤは結合のために、その環体底面及びディスクカバー上に複数の凸点が形成されて通電してスポット溶接に供されるが、この凸点と電流の大きさ等の因子により吸盤ＢとディスクカバーＤ自身の構造強度が下がっても事前に発覚しにくい。
【発明の開示】
【発明が解決しようとする課題】
【０００３】
本発明は一種の自動車の冷気圧縮機クラッチ吸盤製造方法を提供することを目的とし、それは、特殊な型を用いて材料を冷間鍛造して一体成形を達成し、製品構造及び組織を強化し及び材料及び後続の旋削加工工程を節約することができるものとする。
【課題を解決するための手段】
【０００４】
請求項１の発明は、型を用いて材料を冷間鍛造して製品構造及び組織を強化して材料と後続工程を節約する自動車の冷気圧縮機クラッチ吸盤の製造方法であり、
型を用いて、円柱型鋼棒材を冷間鍛造し、中央に凹孔を具えたディスクカバー形状を形成し、更に二次冷間鍛造により、このディスクカバーの外周を上向きに延伸させて外環を具えたハブ態様となし、このハブの中央及び環周を加圧加工して所定孔径となすことを特徴とする、自動車の冷気圧縮機クラッチ吸盤の製造方法としている。
【発明の効果】
【０００５】
以上の方法により得られる製品は、周知の技術による製品に較べ、強度を有し、寸法精度が高い理由及びその長所は以下のとおりである。
１．胚材の鍛造により、原料の３０％以上を節約でき、材料取得が容易で且つ価格が低廉である。
２．本発明により鍛造加工された製品は、一般の鍛造が達成できないサイズ精度の要求の問題を解消し、その構造或いは組織強度が周知の製造方法により得られた製品より優れている。
３．本発明に使用される材料は結晶粒が各空隙部分に充満する高密度現象を呈し、且つ良好な寸法条件を提供する。
４．他の多数の加工工程と比較すると、材料を多く節約でき、並びに効率的に生産でき、また、不必要な工程がなく、耐衝撃或いは耐疲労の強度を有する製品を形成できる。
５．本発明により得られる製品は一体鍛造により形成され、周知の加圧加工と溶接により結合されるものとは異なり、その構造強度は周知のものより遥かに優れている。
【発明を実施するための最良の形態】
【０００６】
本発明の製造方法は以下のステップを具えている。
ステップ１：図４に示される円柱実心鋼棒胚材を取得する。
ステップ２：一次加圧加工し、図４に示される円柱材を図５に示される扁平円柱体形状となす。
ステップ３：第１次冷間鍛造により、中央軸部に対して凹孔１０を形成し、該凹孔１０の底部を外向きに拡張してディスクカバー２０態様となし、図６に示される形態となす。
ステップ４：第２次冷間鍛造により、ディスクカバー２０部分を鍛圧して上向きに折り曲げ、図７に示される形態となし、外環３０及び凹孔１０を具えた箱体形態となす。
ステップ５：最後に図８に示されるように、凹孔１０の底部に加圧加工により所定深さ及び直径の円孔４０を形成し、製品を完成する。その断面構造は図９に示されるようであり、外環３０を具え、中央に凹孔１０を具え、並びに該凹孔１０の底部に更に所定深さ陥没する円孔４０が形成されている。
【０００７】
図１０、１１は上述のステップによりえられた自動車の冷気圧縮機クラッチ吸盤の完成品を示し、図１、２、３に示されるクラッチ吸盤Ｂ及びディスクカバーＤのアセンブリに代わるものとされる。
【０００８】
以上の実施例は本発明の範囲を限定するものではなく、以上の実施例の説明及び図面の記載に基づきなしうる細部の修飾或いは改変は、いずれも本発明の請求範囲に属するものとする。
【図面の簡単な説明】
【０００９】
【図１】周知の吸盤外観図である。
【図２】周知の吸盤とプーリ、制動盤の分解断面図である。
【図３】周知の吸盤とプーリ、制動盤の組合せ図である。
【図４】本発明の胚材に対する冷間鍛造のステップの表示図である。
【図５】本発明の胚材に対する冷間鍛造のステップの表示図である。
【図６】本発明の胚材に対する冷間鍛造のステップの表示図である。
【図７】本発明の胚材に対する冷間鍛造のステップの表示図である。
【図８】本発明の吸盤完成品の外観図である。
【図９】本発明の吸盤の断面図である。
【図１０】本発明の吸盤とプーリ、制動盤の分解断面図である。
【図１１】本発明の吸盤とプーリ、制動盤の組合せ図である。
【符号の説明】
【００１０】
Ａ  プーリ
Ｂ  吸盤
Ｃ  制動ディスク
Ｄ  ディスクカバー
Ｅ  ベルト
１０  凹孔
２０  ディスクカバー
３０  外環
４０  円孔
【図１】
2006200459.tif 000003
【図２】
2006200459.tif 000004
【図３】
2006200459.tif 000005
【図４】
2006200459.tif 000006
【図５】
2006200459.tif 000007
【図６】
2006200459.tif 000008
【図７】
2006200459.tif 000009
【図８】
2006200459.tif 000010
【図９】
2006200459.tif 000011
【図１０】
2006200459.tif 000012
【図１１】
2006200459.tif 000013
(57)【要約】【課題】騒音、振動から解放されるコンプレッサーの必要性を解決する事。無人化・無電源、少ない設置スペースの解決がせまられている水防板の動力源の解決。【解決手段】ピストンを押し上げる力を液体の浮力を利用する。水防板の立上げ、立ち下げに用いる場合は浮力に用いた浸水を注入、排水で対応すればよい。その他の場合は浮力に用いる液体をポンプで循環させて用いればよい。水防板の場合はピストンで圧縮された液体の圧力は配管で２方向に向かって作動する。水防板も水圧に耐える為に大型化すれば折版状にして抵抗する。【選択図】  図１
2006200518.tif 000002
【特許請求の範囲】
【請求項１】
液体の浮力を利用したコンプレッサーで、ケーシング（１）の中にセットされたブイ（２）が注入管（７）より注入された液体の浮力で浮上し、ブイ（２）に取り付けられたシャフト（１１）でピストン（３）を押し上げる。ピストン（３）の先のケーシング（４）に充填されている別の液体を圧縮し、水圧機の原理で力仕事に活用する。浮力に用いた液体は給排水して循環して用いてよい。又、利用形態によりその都度排水してもよい。
【発明の詳細な説明】
【発明の詳細な説明】
【技術分野】
【０００１】  本発明はコンプレッサーが必要な各種用途に用いられる工業製品。
【背景技術】
【０００２】  従来のコンプレッサーはエアコンプレッサーで振動、騒音があります。尚、用途に制限があり、建物等への浸入水を自動的に防ぐ水防板には用いられません。
【発明が解決しようとする課題】
【０００３】  浮力によるコンプレッサーであれば、水害等の際に水害の浸入水をセンサーと動力源として無人で水防板を、停電時であれ作動させる事が出来ます。
既存の建物等の設置制約を著しく改善出来ます。尚、従来のエアーコンプレサーの騒音、振動に難点がある場合の改善にも役立ちます
【課題を解決する為の手段】
【０００４】  請求項１で示した構成によるコンプレッサーを用いる事により、図３で示すフローシートのように建物等への浸水危険水域レベルの浸入水のみを受け入れる桝（１２）を設置し、その桝で排水しきれない水をコンプレッサーのケーシング（１）に注入管（７）より流入させブイ（２）を浮上させ、ピストン（３）を押上げ水圧機の原理で床に納められている水防板（１３）を立ち上げる。水防板（１３）を下げるには、排水管（１０）より浮力として用いた雨水等を排水すればよい。
【発明を実施するための最良の形態】
【０００５】前記の解決の手段で列挙した手法による水防板を建物や工作物への浸水を防ぐ為に壁等で防御出来ない出入り口等に設置して水害被害を防ぐ。従来の騒音、振動のあるエアーコンプレッサー製品の改善にも用いられる。
【発明の効果】
【０００６】  コンプレッサーの振動、騒音から解放されます。浮力の液体は用途によっては、ポンプで循環させ、水防板においては注入、排水の形態しとて用いられます。
水防板の立上げには、電動油圧タイプ、水道水の水圧利用、水防板自体を浮力で浮上させる等各種あります。この発明はセンサーの確実性、自然動力の確実性、設置場所による寸法規制等に対処する為には欠かせない効果が発揮出来ます。
【図面の簡単な説明】
【図１】  浮力によるコンプレッサー断面図
【図２】  浮力によるコンプレッサー平面図
【図３】  浮力によるコンブレッサーを用いた水防板フローシート
【符号の説明】
１．液体の浮力を用いたコンプレッサーのケーシング
２．浮力を利用してピストンを押し上げるブイ
３．浮上するブイの軸に押されるピストン
４．水圧機の原理を利用したピストンのケーシング
５．水圧機の原理で圧力を伝達する液体
６．ピストンのケーシングを固定する固定金物
７．浸入水を浮力に用いる為の注水管
８．ブイを納めたケーシングのエア抜き管
９．水圧機の原理でピストンに圧力をかけられた液体配管
１０．ブイに浮力を与えた液体の循環又は排水の配管
１１．ブイとピストンを繋ぐシャフト
１２．浸水危険水域の浸入水を受け入れるセンサー兼用導入桝
１３．水防板
【図１】
2006200518.tif 000003
【図２】
2006200518.tif 000004
【図３】
2006200518.tif 000005
(57)【要約】【課題】各電力会社で相違する電力契約に対応して、通電時間帯を容易に変更できるようにした電気機器の制御装置を提供する。【解決手段】深夜電力制度や時間帯別電灯契約制度等の各種電灯契約を利用して、機器の運転を行うものに於いて、予め所定時間帯の基準時間帯Ａを有し、この基準時間帯Ａを所定時間早めたり、遅らせたりする補正スイッチ３を備えたので、確実に電力会社と交わした電灯契約に沿って機器を運転させる事が出来、又設定も補正スイッチ３をそのままにしておくか、早め及び遅めのどちらかを選ぶだけのやり方で、極めて容易に行われるものであり、格安の電気料金で機器を運転出来て、極めて経済的であってランニングコストを大幅に低減出来るものである。【選択図】  図１
2006200766.tif 000002
【特許請求の範囲】
【請求項１】
深夜電力制度や時間帯別電灯契約制度等の各種電灯契約を利用して、機器の運転を行うものに於いて、予め所定時間帯の基準時間帯を有し、この基準時間帯を所定時間早めたり、遅らせたりする補正スイッチを備えた事を特徴とする電気機器の制御装置。
【発明の詳細な説明】
【技術分野】
【０００１】
この発明は、各電力会社で異なる格安な電気料金制度である、深夜電力制度や時間帯別電灯契約制度を利用して機器の運転を行う、電気温水器やヒートポンプ式給湯機や蓄熱暖房器具等の電気機器の制御装置に関するものである。
【背景技術】
【０００２】
従来よりこの種のものに於いては、機器自体が自動的に深夜電力制度か、時間帯別電灯契約かを判断して、該当する電力制度に対応した運転制御を行うものであった。（例えば、特許文献１参照。）
【特許文献１】特開平８−１４５４６９号公報
【発明の開示】
【発明が解決しようとする課題】
【０００３】
ところでこの従来のものでは、機器の使用状態を監視していて電灯契約を機器自体が勝手に判断するので、実際に使用者が電力会社と交わした電灯契約と一致するとは限らず、又使用者自身が１回でも使用状態を変えれば、自動的に切換られるもので、便利なようであるが、確実性に欠けると言う問題点を有し、更に各電力会社によって安くなる時間帯が相違し、多数のパターンを用意する必要があり、又この中から該当する電灯契約を選定するのは大変難しく、しかも途中で時間や料金が変更されることを考えられ、これには対応出来ないと言う大きな問題点も有するものである。
更に使用者は機器の運転は知ることが出来るが、電灯契約の内容を目で確認することは出来ず、大変不安であると共に、知らずに割高時間帯に運転させてしまう等の使用勝手の悪い点も有するものであった。
【課題を解決するための手段】
【０００４】
そこでこの発明は上記課題を解決するため、特にその構成を、深夜電力制度や時間帯別電灯契約制度等の各種電灯契約を利用して、機器の運転を行うものに於いて、予め所定時間帯の基準時間帯を有し、この基準時間帯を所定時間早めたり、遅らせたりする補正スイッチを備えたものである。
【発明の効果】
【０００５】
この発明によれば、確実に電力会社と交わした電灯契約に沿って機器を運転させる事が出来、又設定も補正スイッチをそのままにしておくか、早め及び遅めのどちらかを選ぶだけのやり方で、極めて容易に行われるものであり、格安の電気料金で機器を運転出来て、極めて経済的であってランニングコストを大幅に低減出来るものである。
【発明を実施するための最良の形態】
【０００６】
次にこの発明の一実施形態を図面に基づいて説明する。
１は各電力会社と電灯契約を交わして運転する電気温水器の本体制御部で、マイコン２の一つの入力ポートには補正スイッチ３が接続され、該マイコン２内に予め２３：００〜７：００の８時間の基準時間帯Ａが設定記憶されており、給水温度や実使用の学習から得られた沸き上げ量、沸き上げ温度等より、最終時間の７：００時に沸き上げが終了するようにピークシフトして使用までの放熱量を最小限に抑えるように電気ヒータ等の駆動部４を自動制御するものである。
【０００７】
更に前記補正スイッチ３によって基準時間帯Ａを変更可能とするもので、該補正スイッチ３を基準の接点ａから早めの接点ｂに合わせれば、タイマーや時刻カウント用の基準時計の時刻読み込みを１時間早めて、２２：００を２３：００と読み込ませることにより、２２：００〜６：００の８時間の早め補正時間帯Ｂを設定可能で、これで６：００には沸き上がる２２：００〜６：００の時間帯契約が出来るものである。
【０００８】
又補正スイッチ３を基準の接点ａから遅らせる接点ｃに合わせれば、基準時計の時刻読み込みを１時間遅らせて、２４：００を２３：００と読み込ませることにより、２４：００〜８：００の８時間の遅め補正時間帯Ｃを設定可能で、これで８：００には沸き上がる２４：００〜８：００の時間帯契約が出来るものである。
【０００９】
そして、２３：００〜７：００の基準時間帯Ａでの電力会社との電力契約では、補正スイッチ３を基準の接点ａとの接続のままとすれば良く、又２２：００〜６：００の早め補正時間帯Ｂでの電力会社との電力契約では、補正スイッチ３を早めの接点ｂに切替えれば良いものであり、更に２４：００〜８：００の遅め補正時間帯Ｃでの電力会社との電力契約では、補正スイッチ３を遅らせる接点ｃに切替えれば良く、容易に時間帯が相違する各電力会社の契約時間帯に変更出来、極めて使用勝手が良く経済的な有利性を確保出来るものである。
【図面の簡単な説明】
【００１０】
【図１】この発明の一実施形態を示す電気温水器の要部概略構成図。
【図２】同各時間帯の説明図。
【符号の説明】
【００１１】
１  本体制御部
２  マイコン
３  補正スイッチ
４  駆動部
Ａ  基準時間帯
Ｂ  早め補正時間帯
Ｃ  遅め補正時間帯
【図１】
2006200766.tif 000003
【図２】
2006200766.tif 000004
(57)【要約】【課題】強い強度を有し、加工が少なく施工作業が簡単な角木材の接合構造を提供すること。【解決手段】木造建築物における梁や柱等の軸組みの横架材及び垂直材である角木材を互いに接合させる接合構造である。３方向に直交する角木材を接合するためにその角木材の３方向に圧着する十分剛性のある互いに直交する平面を有することを特徴とする接合部品２個をその３平面の交点を通過しかつそれぞれの面と45度方向にボルトナットで締め付け剛接合をさらに強化することを特徴とする。【選択図】図１
2006200283.tif 000002
【特許請求の範囲】
【請求項１】
３方向に直交する角木材を結合するためその角木材の３方向の平面に圧着する十分剛性のある互いに直交する３平面を有することを特徴とする角木材接合部品
【請求項２】
３方向に直交する角木材を接合するためにその角木材の３方向に圧着する十分剛性のある互いに直交する平面を有することを特徴とする請求項１記載の接合部品２個をその３つの角木材の交点を対称点とした位置に配置しかつ角木材のそれぞれの３方向の平面と圧着させ剛接合することを特徴とする角木材接合部品
【請求項３】
３方向に直交する角木材を接合するためにその角木材の３方向に圧着する十分剛性のある互いに直交する平面を有することを特徴とする請求項２記載の接合部品２個をその３平面の交点を通過しかつそれぞれの面と45度方向にボルトナットで締め付け剛接合をさらに強化することを特徴とする角木材接合部品
【発明の詳細な説明】
【技術分野】
【０００１】
この発明は、角木材の結合に用いる接合部品の形状に関する。
【背景技術】
【０００２】
従来の角木材の結合は仕口という加工を施し互いに差し込むように設けられたものである。角木材を組んだだけで剛接合するような接合部品に関しての特許は従来ない。
【発明の開示】
【発明が解決しようとする課題】
【０００３】
しかしながら、以上の従来技術によれば、木ネジなどで貫通することが難しいような大きな断面の角木材同士を組みあわせたそのままの形で剛接合することはできなかった。また従来技術によれば複雑な加工を必要とし断面の欠損も大きく接合部での剛接合は不可能だった。
そこで、この発明は、角木材を組み合わせたそのままの形で接合し、接合部での加工をほとんど必要とせずかつ断面の欠損をほとんどなくし接合部での剛接合を提供することを課題とする。
【課題を解決するための手段】
【０００４】
以上の課題を解決するために、請求項１の発明は、３方向に直交する角木材を結合するためその角木材の３方向の平面に圧着する十分剛性のある互いに直交する３平面を有することを特徴とする角木材接合部品である。
また、請求項２の発明は、請求項１記載の接合部品２個をその３つの角木材の交点を対称点とした位置に配置しかつ角木材のそれぞれの３方向の平面と圧着させ剛接合することを特徴とする角木材接合部品である。
また、請求項３の発明は、請求項２記載の接合部品２個をその３平面の交点を通過しかつそれぞれの面と45度方向にボルトナットで締め付け剛接合をさらに強化することを特徴とする角木材接合部品である。
【発明の効果】
【０００５】
複雑な加工を必要としないため熟達しないものでも構造物を手軽に組むことができる。かつ接合部での剛接合を可能にし構造物の強度を高めた。
【発明を実施するための最良の形態】
【０００６】
この発明の一実施形態を、図１に示す。
接合する角木材（柱・梁Ａ・梁Ｂ）を互いに直交するように組む。接合部品Ａと接合部品Ｂをその組んだ角木材の３方向に圧着する位置に木ネジなどでとめその交点を通過しかつそれぞれの面と45度方向に連結ボルトで締め付ける。
【０００７】
「実施形態の効果」
この実施形態によれば、３方向に直交する角木材はそのまま組んだ形で止めることができる。また角木材は連結ボルトの通る部分のわずかなかきとり以外の断面の加工は必要ない。したがって特別な技能の持ち主でなくても接合することができかつ材料の強度的にも断面の欠損の多い従来のやりかたより有利である。また従来の接合部がピン構造であるのに対し剛接合を可能にしている。
【０００８】
「他の実施形態」
図１の実施形態では、角木材と接合部品を止めるものは木ねじであったが他の実施形態では図３のようにボルトナットにしてもよい。
接合部品の材質は耐久性や剛性の点から金属が望ましいが合成樹脂などでつくることも可能である。
【図面の簡単な説明】
【０００９】
【図１】この発明の一実施形態を示す斜視図である。
【図２】部品の図面である。
【図３】他の実施形態
【符号の説明】
【００１０】
１  接合部品Ａ
２  接合部品Ｂ
３  連結ボルト
３ａ  連結ボルト穴
４  取付け木ねじ
４ａ  取付け木ねじ穴
５  角木材
６  取付けボルト
【図１】
2006200283.tif 000003
【図２】
2006200283.tif 000004
【図３】
2006200283.tif 000005
(57)【要約】【課題】本願発明は、槽内の見通し空間を利用して内部を検査するセンサーを通す牽引具を設ける手段の提供にある。【解決手段】地下に部材を組み立てもしくは配列することで空間を確保し、前記空間をシートで覆った貯留槽および／もしくは浸透槽において、前記部材は組み立てた際直線状に見通す見通し空間を残すことのできる部材とし、前記見通し空間内に人孔を介し、貯留空間内を検査するセンサーを通過させるための牽引具を設けた貯留槽および／もしくは浸透槽である。【選択図】図1
2006200243.tif 000002
【特許請求の範囲】
【請求項１】
地下に部材を組み立てもしくは配列することで空間を確保し、前記空間をシートで覆った貯留槽および／もしくは浸透槽において、前記部材は組み立てた際直線状に見通す見通し空間を残すことのできる部材とし、前記見通し空間内に人孔を介し、貯留空間内を検査するセンサーを通過させるための牽引具を設けたことを特徴とする貯留槽および／もしくは浸透槽。
【発明の詳細な説明】
【技術分野】
【０００１】
本発明は、部材を組み立てあるいは配列して貯留槽および／もしくは浸透槽とする技術においてその内部の点検技術に属する。
【背景技術】
【０００２】
雨水の流出抑制、有効利用を図る雨水の貯留槽あるいは浸透槽用の貯留空間を構成する部材としてプラスチック製あるいはステンレススチール製の軽量部材が特開昭62-101097、特開平10-252108、特開平09-296486、特開平10-115778、特開平10-290174などに各種提案使用されている。
特開昭62-101097、特開平09-296486などには筒状部を有する部材が提案されている。これら部材はその組み立て配列の方法によって、貯留空間内に直線状に見通す見通し空間が形成される。
【特許文献１】特開昭62-101097
【特許文献２】特開平10-252108
【特許文献３】特開平09-296486
【特許文献４】特開平10-115778
【特許文献５】特開平09-296486
【発明の開示】
【発明が解決しようとする課題】
【０００３】
本願発明は、前記見通し空間を利用して内部を検査するセンサーを通す牽引具を設ける手段の提供にある。
【課題を解決するための手段】
【０００４】
本発明は、地下に部材を組み立てもしくは配列することで空間を確保し、前記空間をシートで覆った貯留槽および／もしくは浸透槽において、前記部材は組み立てた際直線状に見通す見通し空間を残すことのできる部材とし、前記見通し空間内に人孔を介し、貯留空間内を検査するセンサーを通過させるための牽引具を設けた貯留槽および／もしくは浸透槽である。
使用する部材の特徴を生かし、見通し空間内に事前にセンサー通過のための牽引具を設けた。
【発明の効果】
【０００５】
槽内に点検用のセンサーを通過させるための牽引具を設けたため、必要なときにセンサーを用意すれば槽の内部点検が可能となる。
【発明を実施するための最良の形態】
【０００６】
以下本発明である貯留空間内を検査するセンサーを通過させるための牽引具を設けた貯留槽および／もしくは浸透槽につき、図を用いて、より詳細に説明する。本発明は図3に示すような部材を用いた貯留槽および／もしくは浸透槽に適用される。図4は図3の部材を配列した場合に形成される見通し空間を示している。
【０００７】
図１は、貯留槽および／もしくは浸透槽内に設けた人孔あるいはピットを用いて槽内の見通し空間内に牽引具を設けた状態を示している。例示した牽引具はパイプとロープ、鎖などセンサーを取り付け移動さすことのできるセンサー移動具からなる。環状としたセンサー移動具を使用することでセンサーの前進後退が可能となる。パイプは一端は人孔あるいはピット内に存在し、他端は槽壁面あるいはピットあるいは人孔壁面に固定する。パイプ内に張り渡したセンサー移動具の一端は人孔あるいはピット内に存在し、他端は槽壁面あるいはピットあるいは人孔壁面に固定した滑車などに懸架される。
【０００８】
パイプはその下面にスリットを設け、センサー移動具に取り付けられたセンサーが槽内の見通し空間をパイプに沿って移動できるようにしておく。
【０００９】
センサー移動具は環状であることが好ましいが、人孔もしくはピットが2つある場合は、センサー移動具の両端をそれぞれの人孔あるいはピット内に存在させておくことでもよい。
【００１０】
図2は牽引具を槽内の見通し空間内に設けた状態の断面図を示している。パイプの両端にはセンサー移動具を支える支え具を設けておくことが好ましい。センサー移動具は図に示すように上下に環状となるように設けても、水平に環状となるように設けてもよく使用するパイプの形状等考慮して決めることができる。
【００１１】
牽引具を構成するパイプおよびセンサー移動具は、長期間水中に存在するため水に対して耐性のある合成樹脂あるいは合成繊維を用いたものがこのましい。
【図面の簡単な説明】
【００１２】
【図１】は、本発明の牽引具をしめす概念図である。
【図２】は、本発明の牽引具の断面を示す図である。
【図３】は、本発明が適用可能な槽を構成する部材の例を示す。
【図４】は、図３の部材を配列したときに形成される見通し空間を示す。
【符号の説明】
【００１３】
１  牽引具
２  センサー
３  パイプ
４  センサー移動具
５  滑車
６  支持具
７  人孔もしくはピット
８  見通し空間
９  部材
【図１】
2006200243.tif 000003
【図２】
2006200243.tif 000004
【図３】
2006200243.tif 000005
【図４】
2006200243.tif 000006
(57)【要約】【課題】本発明は、従来の部材と異なる形状の部材の提案と、この部材を用いた配置物を利用した雨水貯留浸透槽、軽量盛土などの提案にある。【解決手段】本発明は、４個の戴正四角錐を、その戴平面を内側とし前後左右より組み合わせて立方体形状とし、当該立方体を1次元、２次元もしくは３次元的に配列し、その周囲をシートで覆い雨水等の一時的な貯留空間とし、当該貯留空間を地下に設けた雨水の流出抑制施設もしくはその周囲を透水性シートで覆い軽量盛土の芯とし、上部に土盛りをした軽量盛土である。【選択図】図1
2006200242.tif 000002
【特許請求の範囲】
【請求項１】
４個の戴正四角錐をその戴平面を内側とし前後左右より組み合わせて立方体形状とし、当該立方体を配列し、その周囲をシートで覆い雨水等の貯留空間とし、当該貯留空間を地下に設けた雨水の流出抑制施設。
【請求項２】
４個の戴正四角錐をその戴平面を内側とし前後左右より組み合わせて立方体形状とし、当該立方体を配列し、その周囲を透水性シートで覆い軽量盛土の芯とし、上部に土盛りをした軽量盛土。
【発明の詳細な説明】
【技術分野】
【０００１】
本発明は、戴正四角錐を配置して空間を構成する流出抑制などの技術に属する。
【背景技術】
【０００２】
雨水の流出抑制を目的として、プラスチックなどで製造された容器状あるいはパイプ状部材を地下に配置し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。いずれの方法も部材を配置しその周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。これら部材は、透水性のシートで覆うことによってまた軽量盛土の芯材としての用途が提案されている。
【０００３】
本発明は、従来の部材と異なる形状の部材の提案と、この部材を用いた配置物を利用した雨水貯留浸透槽、軽量盛土などの提案にある。
【０００４】
【特許文献１】特開昭62-101097
【特許文献２】特開昭62-126179
【特許文献３】特開平9-296486
【特許文献４】特開平11-43971
【特許文献５】特開平10-115778
【発明の開示】
【発明が解決しようとする課題】
【０００５】
本願発明は、雨水流出抑制施設である雨水浸透槽、貯留槽あるいは貯留浸透槽あるいは軽量盛土の芯材となる部材とその部材の配置方法の提案にある。
【課題を解決するための手段】
【０００６】
本第1の発明は、４個の戴正四角錐をその戴平面を内側とし前後左右より組み合わせて立方体形状とし、当該立方体を配列し、その周囲をシートで覆い雨水等の貯留空間とし、当該貯留空間を地下に設けた雨水の流出抑制施設である。
シートで覆う作業を容易とするよう、配置する部材の形状が立方体となるようした。
本第２の発明は、４個の戴正四角錐をその戴平面を内側とし前後左右より組み合わせて立方体形状とし、当該立方体を配列し、その周囲を透水性シートで覆い軽量盛土の芯とし、上部に土盛りをした軽量盛土である。シートで覆う作業を容易とするよう、配置する部材の形状が立方体となるようした。
【発明の効果】
【０００７】
部材の形状を戴正四角錐としたため、４個の部材を配列することで正立方体形状となるため並べた配置物の形状が単純となる。その結果その周囲を覆うシート施工が容易となる。
【発明を実施するための最良の形態】
【０００８】
以下本発明を図によって、より詳細に説明する。
図１は本発明に使用する部材の形状を示す図である。図1ａに示す部材は戴正四角錐の形状の1例を示している。図1bに示す戴正四角錐は、その内部に芯を設けその強度を高めた部材の例を示している。戴正四角錐は、雨水の流出抑制施設あるいは軽量盛土の芯として使用する際、水の流れが滞らないよう、その表面に開口部を設けておくことが好ましい。開口部の形状、数、大きさなどは部材としての強度、水の流れやすさなどを考慮して適宜変更することができる。
【０００９】
図２は、図１ａに示す部材を正立方体に組み立てた状態を示したものである。図に示したように４個の部材を前後左右からその戴四角錐の頂部が正立方体を形成するように組み合わせることで、組み立てた形状が正立方体を形成する。
このとき、さらに2個の部材を上下から組み合わせて6個の部材で正立方体として強度を高めることも可能である。
【００１０】
図３は、図2に示した立方体を1次元、2次元、3次元的に配列し空間を確保し、その周囲をシートで覆った雨水流出抑制施設の概念図を示したものである。
地下水位によって使用するシートの種類を透水性もしくは遮水性とすることは従来の雨水貯留浸透施設と変わらない。また、遮水性シートで覆い雨水の有効利用を図る貯留槽あるいは防火水槽とすることもできる。
【００１１】
図４は、雨水流出抑制施設のうち、1次元的に配列し浸透管として使用する例を示している。
上記立方体を直線状に配列し、その上部を浸透性のシートで覆ったものである。
【００１２】
図５は、軟弱地盤上に図2に示した立方体を配列しその周囲を透水性シートで覆い軽量盛土の芯とした軽量盛土の概念図を示している。
本発明に使用する部材の材質はポリプロピレン、ポリエチレン、ポリスチレンなどの熱可塑性プラスチック、コンクリート、ステンレススチールなどが使用できる。
【図面の簡単な説明】
【００１３】
【図１】は、 本発明に使用する部材の例を示している。
【図２】は、本発明の部材を立方体形状に組み合わせる状態を示す図である。
【図３】は、本発明の流出抑制施設の概念図を示す図である。
【図４】は、本発明の流出抑制施設である浸透管の概念図を示す図である。
【図５】は、本発明の軽量盛土の概念図を示す図である。
【００１４】
１  戴正4角錐部材
２  戴正4角錐部材を組み合わせた立方体
３  雨水流出抑制施設
４  浸透管
５  軽量盛土
【図１】
2006200242.tif 000003
【図２】
2006200242.tif 000004
【図３】
2006200242.tif 000005
【図４】
2006200242.tif 000006
【図５】
2006200242.tif 000007
(57)【要約】【課題】  車椅子などにより移動し、介護を必要とする高齢者に暮らしやすい集合住宅を提供する。【解決手段】  住戸１は、３つの居室３、４、９と、１つのリビングダイニングルーム１０、および台所８とを備え、外廊下２の反対側にバルコニー１１を有する３ＬＤＫタイプであり、外廊下２と玄関１２との間には、プライバシーを確保するためにアルコーブ１３が設けられている。外廊下２側に配置された居室３とバルコニー１１に隣接する居室４とは、その間に設けられた直線状の通路５で結ばれており、車椅子や歩行器などを利用して居室３、４間をスムーズに移動することができる。また、浴室７、トイレ６、および台所８が直線状の通路５に面して配置されているので、各設備を容易に利用することができるうえ、介護をする際も介護負担が大幅に軽減される。【選択図】      図１
2006200206.tif 000002
【特許請求の範囲】
【請求項１】
共用の外廊下に面して配置された隣接する住戸からなる集合住宅において、
前記住戸は、前記外廊下側および前記外廊下の反対側にそれぞれ居室を有し、
前記居室同士が直線状の通路で結ばれていることを特徴とする集合住宅。
【請求項２】
前記住戸に備えられている浴室、トイレ、および台所は、それぞれ前記通路に面して配置されていることを特徴とする請求項１に記載の集合住宅。
【請求項３】
前記住戸には、前記住戸内を移動自在な可動家具が備えられていることを特徴とする請求項１または２に記載の集合住宅。
【発明の詳細な説明】
【技術分野】
【０００１】
本発明は、集合住宅に関し、特に、高齢者対応型の集合住宅に関する。
【背景技術】
【０００２】
日本では、急速な少子高齢化が進んでおり、高齢者向けの集合住宅も今後増加することが予想される。例えば、特許文献１では、ベッドルームにトイレおよび浴室を近接させ、直接、最短距離でトイレおよび浴室に行けるようにするとともに、採光用の吹き抜けにより、ドレッシングルームおよびベッドルームへの通風を可能にしたワンルーム型の高齢者向け住宅が提案されている。
【特許文献１】特開平７−１０２７９７号公報  （第２頁、第１−３図）
【発明の開示】
【発明が解決しようとする課題】
【０００３】
しかしながら、特許文献１に記載された高齢者向け住宅では、浴室が奥まったところに配置されているため、車椅子などにより移動し、介護を必要とする高齢者には必ずしも暮らしやすい住宅とはいえない。
【０００４】
本発明は、上述する問題点に鑑みてなされたもので、車椅子などにより移動し、介護を必要とする高齢者に暮らしやすい集合住宅を提供することを目的とする。
【課題を解決するための手段】
【０００５】
上記目的を達成するため、本発明は、共用の外廊下に面して配置された隣接する住戸からなる集合住宅において、前記住戸は、前記外廊下側および前記外廊下の反対側にそれぞれ居室を有し、前記居室同士が直線状の通路で結ばれていることを特徴とする。
本発明では、居室同士が直線状の通路で結ばれているので、車椅子などを利用して居室間をスムーズに移動することができる。
【０００６】
また、本発明に係る集合住宅では、前記住戸に備えられている浴室、トイレ、および台所は、それぞれ前記通路に面して配置されていることが好ましい。
本発明では、浴室、トイレ、および台所がそれぞれ直線状の通路に面して配置されているので、各設備を容易に利用することができ、介護をする際も介護負担が大幅に軽減される。
【０００７】
また、本発明に係る集合住宅では、前記住戸には、前記住戸内を移動自在な可動家具が備えられていてもよい。
本発明では、移動自在な可動家具が住戸内に備えられているので、高齢者でも容易に可動家具を移動して部屋の模様替えを行うことができる。
【発明の効果】
【０００８】
本発明では、共用の外廊下に面して配置された隣接する住戸からなる集合住宅において、各住戸が、外廊下側および外廊下の反対側にそれぞれ居室を有し、当該居室同士が直線状の通路で結ばれているので、車椅子などを利用して居室間をスムーズに移動することができる。また、浴室、トイレ、および台所がそれぞれ直線状の通路に面して配置されているので、各設備を容易に利用することができ、介護をする際も介護負担が大幅に軽減される。
【発明を実施するための最良の形態】
【０００９】
以下、本発明に係る集合住宅の実施形態について図面に基づいて説明する。
本発明に係る集合住宅は、各階ごとに、共用の外廊下に面して配置された隣接する住戸からなる板状の外廊下タイプの集合住宅である。本発明に係る集合住宅では、スケルトン（構造躯体）とインフィル（住戸内の内装・設備等）とが分離されており、スケルトンにおいて長期耐久性を実現するとともに、インフィル部において将来的な変更が可能なように造られている。
【００１０】
図１は、集合住宅を構成する住戸の一例を示す平面図である。図示した住戸１は、３つの居室３、４、９と、１つのリビングダイニングルーム１０、および台所８とを備え、外廊下２の反対側にバルコニー１１を有する３ＬＤＫタイプであり、外廊下２と玄関１２との間には、プライバシーを確保するためにアルコーブ１３が設けられている。
【００１１】
外廊下２側に配置された居室３とバルコニー１１に隣接する居室４とは、その間に設けられた直線状の通路５で結ばれており、車椅子や歩行器などを利用して居室３、４間をスムーズに移動することができる。また、浴室７、トイレ６、および台所８がそれぞれ直線状の通路５に面して配置されているので、各設備を容易に利用することができるうえ、介護をする際も介護負担が大幅に軽減される。
一方、直線状の通路５の天井には、通路５に沿って吊ベッドレール１５が敷設されており、高齢者を吊ベッドに寝かせた状態で移動させることができる。
また、トイレ６および浴室７は車椅子が入れるだけの空間を確保するとともに、浴室７には、またぎ高さを抑えた超低床型のユニットバスを使用し、介護・高齢者に配慮している。
【００１２】
さらに、住戸１内の各所にキャスター付きの可動家具１４が置かれており、高齢者でも容易に可動家具１４を移動して部屋の模様替えを行うことができる。
【００１３】
なお、床スラブは、梁が無く、柱に直接支持されるフラットスラブから構成されているので、住戸１内に梁形が突出することがない。加えて、住戸１内の床は、床 スラブと床材との間に空間を設けた二重床として遮音性を高めるとともに、段差の無いバリアフリーとしている 。
【００１４】
以上、本発明に係る集合住宅の実施形態について説明したが、本発明は上記の実施形態に限定されるものではなく、その趣旨を逸脱しない範囲で適宜変更可能である。例えば、上記の実施形態では、３ＬＤＫタイプの住戸を示しているが、２ＬＤＫや４ＬＤＫなど他の間取りでもよいことは言うまでもない。要は、本発明において所期の機能が得られればよいのである。
【図面の簡単な説明】
【００１５】
【図１】本発明に係る集合住宅を構成する住戸の一例を示す平面図である。
【符号の説明】
【００１６】
１  住戸
２  外廊下
３、４、９  居室
５  通路
６  トイレ
７  浴室
８  台所
１０  リビングダイニングルーム
１１  バルコニー
１２  玄関
１３  アルコーブ
１４  可動家具
１５  吊ベッドレール
【図１】
2006200206.tif 000003